(57)【要約】【課題】斬新で見栄えの良い照明が可能なメータ装置の照明構造を提供すること。【解決手段】導光性を有する回転軸５と、回転軸５に連結される指針軸６を備え、文字板９上の数値または目盛りを指し示す導光性を有する指針７と、回転軸５の一端側に設けられて回転軸５を介して指針７へ光を入射させる光源３と、指針７の天井面に取り付けられ、照明光が天井面から指針７の外部に漏出するのを防止する遮光性を有するキャップＣａと、キャップＣａに設けられ、指針７に入射した光源３からの照明光の一部をキャップＣａの外部へ導き、キャップＣａの外部で装飾光Ｒ１として出射させる導光性を有する導光部材９１とを備える。【選択図】図３
2014035298.tif 000002
【特許請求の範囲】
【請求項１】
導光性を有する回転軸と、
該回転軸に連結される指針軸を備え、文字板上の数値または目盛りを指し示す導光性を有する指針と、
前記回転軸の一端側に設けられて前記回転軸を介して前記指針へ光を入射させる光源と、
前記指針の天井面に取り付けられ、光が前記天井面から指針外部に漏出するのを防止する遮光性を有するキャップと、
該キャップに設けられ、前記指針に入射した前記光源からの照明光の一部を前記キャップの外部へ導き、前記キャップの外部で装飾光として出射させる導光性を有する導光部材とを備えることを特徴とするメータ装置の照明構造。
【請求項２】
前記キャップは、前記導光部材の周囲に、前記導光部材から出射される装飾光を反射させる反射面を有することを特徴とする請求項１に記載のメータ装置の照明構造。
【請求項３】
前記キャップは、前記導光部材へ向かって次第に前記光源側へ窪んだ窪み部を有し、該窪み部の表面が前記反射面とされていることを特徴とする請求項２に記載のメータ装置の照明構造。
【請求項４】
前記窪み部は、前記導光部材を中心としてすり鉢状に形成してなることを特徴とする請求項３に記載のメータ装置の照明構造。
【発明の詳細な説明】
【技術分野】
【０００１】
本発明は、車両、船舶、航空機等の各種乗り物に搭載されるメータ装置の照明構造に係り、特に指針を発光させるようにした、メータ装置の照明構造に関するものである。
【背景技術】
【０００２】
従来、例えば車両等に搭載されるこの種のメータ装置にあっては、一般に、文字、数字、及び目盛り等が設けられた文字板を裏面側から専用の光源などで照明したり、文字板の文字や数字などを指し示す指針を照明しているのが一般的である（例えば、特許文献１〜３参照）。
【０００３】
このような指針を照明するメータ装置には、指針の回転中心領域の視認性を高めて見栄えを斬新なものとしたものがある（例えば、特許文献４参照）。
【０００４】
図１５に示すように、このメータ装置は、キャップ２０１の中央部に透光性材質からなるプリズム２０２を配置し、プリズム２０２の突起部を、指針２０３の照明用の発光ダイオードからなる光源２０４からの光の一部を、指針２０３を介して導いて透過照明する構成としている。
【先行技術文献】
【特許文献】
【０００５】
【特許文献１】特開２００３−４２８１６号公報
【特許文献２】特開２００６−６４５２６号公報
【特許文献３】実開平１−１５６４２１号公報
【特許文献４】特開２００９−１３９１４６号公報
【発明の概要】
【発明が解決しようとする課題】
【０００６】
ところが、上記のメータ装置では、キャップ２０１の回転中心に設けた透光性材料からなるプリズム２０２と光源２０４との距離が離れており、また、導光板や指針２０３が間に介在するためにキャップ２０１に配置されたプリズム２０２の輝度が、指針２０３に比べて低く、見栄えの斬新さに乏しいものであった。
【０００７】
本発明は、上述した事情に鑑みてなされたものであり、その目的は、斬新で見栄えの良い照明が可能なメータ装置の照明構造を提供することにある。
【課題を解決するための手段】
【０００８】
前述した目的を達成するために、本発明に係るメータ装置の照明構造は、下記（１）〜（６）を特徴としている。
（１）  導光性を有する回転軸と、
該回転軸に連結される指針軸を備え、文字板上の数値または目盛りを指し示す導光性を有する指針と、
前記回転軸の一端側に設けられて前記回転軸を介して前記指針へ光を入射させる光源と、
前記指針の天井面に取り付けられ、光が前記天井面から指針外部に漏出するのを防止する遮光性を有するキャップと、
該キャップに設けられ、前記指針に入射した前記光源からの照明光の一部を前記キャップの外部へ導き、前記キャップの外部で装飾光として出射させる導光性を有する導光部材とを備えること。
（２）  上記（１）の構成のメータ装置の照明構造において、
前記キャップは、前記導光部材の周囲に、前記導光部材から出射される装飾光を反射させる反射面を有すること。
（３）  上記（２）の構成のメータ装置の照明構造において、
前記キャップは、前記導光部材へ向かって次第に前記光源側へ窪んだ窪み部を有し、該窪み部の表面が前記反射面とされていること。
（４）  上記（３）の構成のメータ装置の照明構造において、
前記窪み部は、前記導光部材を中心としてすり鉢状に形成してなること。
（５）  上記（２）から（４）のいずれかの構成のメータ装置の照明構造において、
前記導光部材は、前記光源と反対側の端面に、光を反射させて周囲へ拡散させる拡散反射面を備えること。
（６）  上記（２）から（５）のいずれかの構成のメータ装置の照明構造において、
前記導光部材は、前記光源と反対側の端面に、光を遮る遮光部を備えること。
【０００９】
上記（１）の構成のメータ装置の照明構造では、導光部材によって、指針に入射した光源からの光の一部をキャップの外部へ導き、キャップの外部で装飾光として出射させることができる。これにより、夜間などの周囲からの光が届かない状況下において、斬新で見栄え良く照明することができる。
上記（２）の構成のメータ装置の照明構造では、導光部材から出射される装飾光を反射面で反射させて間接的に照明することができ、より斬新で見栄えを良くすることができる。
上記（３）の構成のメータ装置の照明構造では、導光部材へ向かって次第に光源側へ窪んだキャップの窪み部の表面の反射面で導光部材から出射される装飾光を反射させて間接的に照明することができ、より斬新で見栄えを良くすることができる。
上記（４）の構成のメータ装置の照明構造では、導光部材を中心としてすり鉢状に形成してなる反射面で導光部材から出射される装飾光を反射させて間接的に照明することができ、より斬新で見栄えを良くすることができる。
上記（５）の構成のメータ装置の照明構造では、導光部材における光源と反対側の端面に設けた拡散反射面で光を反射させて周囲へ拡散させることができる。
上記（６）の構成のメータ装置の照明構造では、導光部材における光源と反対側の端面に設けた遮光部で導光部材からの直接光を遮ることで、反射面での間接的な照明によって、より斬新で見栄え良く照明することができる。
【発明の効果】
【００１０】
本発明によれば、斬新で見栄えの良い照明が可能なメータ装置の照明構造を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の第１実施形態に係るメータ装置の照明構造が適用されたメータ装置を示す断面図である。
【図２】図２（Ａ）及び図２（Ｂ）は、第１実施形態に係るメータ装置の照明構造が適用されたメータ装置を示す図であって、図２（Ａ）は、その平面図、図２（Ｂ）は、その分解斜視図である。
【図３】図３は、第１実施形態に係るメータ装置の照明構造が適用されたメータ装置の要部拡大断面図である。
【図４】図４は、第１実施形態に係るメータ装置の照明構造が適用されたメータ装置のキャップ部分における斜視図である。
【図５】図５は、第１実施形態に係るメータ装置の照明構造が適用されたメータ装置のキャップ部分における平面図である。
【図６】図６は、第２実施形態に係るメータ装置の照明構造が適用されたメータ装置の要部拡大断面図である。
【図７】図７は、第２実施形態に係るメータ装置の照明構造が適用されたメータ装置のキャップ部分における斜視図である。
【図８】図８は、第２実施形態に係るメータ装置の照明構造が適用されたメータ装置のキャップ部分における平面図である。
【図９】図９は、第３実施形態に係るメータ装置の照明構造が適用されたメータ装置の要部拡大断面図である。
【図１０】図１０は、第３実施形態に係るメータ装置の照明構造が適用されたメータ装置のキャップ部分における斜視図である。
【図１１】図１１は、第３実施形態に係るメータ装置の照明構造が適用されたメータ装置のキャップ部分における平面図である。
【図１２】図１２は、第４実施形態に係るメータ装置の照明構造が適用されたメータ装置の要部拡大断面図である。
【図１３】図１３は、第４実施形態に係るメータ装置の照明構造が適用されたメータ装置のキャップ部分における斜視図である。
【図１４】図１４は、第４実施形態に係るメータ装置の照明構造が適用されたメータ装置のキャップ部分における平面図である。
【図１５】図１５は、メータ装置の照明構造の従来例を示すメータ装置の断面図である。
【発明を実施するための形態】
【００１３】
以下、本発明の実施形態について、添付図面を参照しながら詳細に説明する。
（第１実施形態）
図１から図５は、本発明の第１実施形態に係るメータ装置の照明構造が適用されたメータ装置１Ａを示すものである。
【００１４】
図１から図３に示すように、本実施形態のメータ装置１Ａは、基板２の上に実装された光源３及びモータケース８と、光源３及びモータケース８が搭載された領域を含む基板２の上の所定の場所に取付けられたケース４と、モータケース８に収められた図示外のモータの駆動力が伝達されて回転する回転軸５と、回転軸５の先端部に取付けられた指針軸６を一体に備える指針７と、ケース４の上部に設置され、数字、文字、記号など、車自体或いは車周辺の環境などに関する必要情報を指針７によって表示する文字板９とを有する。なお、図中符号Ｃａは、指針７の基部の天井面に被せたキャップを示す。
【００１５】
本実施形態のメータ装置１Ａは、コンビネーションメータの一部を構成しており、図示外の見返し板で周囲を覆われている。また、この見返し板は、メータ装置１Ａを含む各種計器類を設置するための各種表示窓を有しており、側面及び背面側を構成するコンビネーションメータケースと一体化されている。
【００１６】
なお、本実施形態のメータ装置１Ａは、速度計を構成しており、図示しないセンサによって検出された速度に対応したセンサ信号に基づき、指針７を所定角度だけ回動させ、文字板９に形成された特定の目盛を指し示す。
【００１７】
本実施形態の光源３は、回転軸５の基端部である下端部へ向けて照明光を入射するものであり、所定波長（λ）の可視光を出射する例えばＬＥＤ（Light Emitting Diode；発光ダイオード）で構成されている。この光源３では、出射する光（以下、「照明光」とよぶ）に、位相角度の方向依存性のない、均一な出射特性のものが使用されている。即ち、本実施形態の光源３では、水平面（Ｘ−Ｙ平面）方向に関しては全周に亘り、略均一な光量を回転軸５へ出射する光量分布特性を有する。なお、本実施形態の光源３としては、特にこのＬＥＤに限定されるものではないが、消費電力が少なく小型の点光源であるものが好ましい。
【００１８】
ケース４には、文字板９の背面である裏面、つまり下面と対向する内側表面に、後述する指針軸６の屋根面である上端面で構成される側方分光部１０で分光された光（以下、「文字板光Ｐ１」とよぶ）を効率的に反射させる反射部４Ａを設ける。反射部４Ａは、例えばＡｌ（アルミニウム）などを金属蒸着させた反射膜で構成してもよいし、光源３であるＬＥＤから出射する単色の照明光が持つ固有波長（λ）に対して大きなピーク反射特性を有する誘電体多層膜などであってもよい。
【００１９】
回転軸５は、上述したように、モータからの回転力が伝達されて回転するものであって、透光材料で形成された中実で略円筒形状を有するもので構成される。回転軸５は、先端部である上端部側を指針軸６の穴６１に挿入した状態で指針軸６に嵌合される。指針軸６は、指針軸６の穴６１に回転軸５が嵌合されることによって回転軸５に一体に固定される。なお、本実施形態では、指針軸６の穴６１の天井面６１Ａに回転軸５の上端面５１が密着状態に挿入されておらず、これら双方の間に空気層からなる隙間が形成されているが、特にこの空気層はなくてもよい。
【００２０】
また、回転軸５は、文字板９の裏面側に設置されており、下端部がモータケース８に設けた軸受け８Ａに回転自在に軸支されているとともに、この下端面には光源３が正対する。
【００２１】
このように、回転軸５の下端面は、図３に示すように、光源３の直上に位置するように設けられており、光源３からの照明光が入射すると、その照明光は回転軸５の内部を案内されて上端部へ伝搬していく。このため、回転軸５では、この内部の外周面における外界（空気）との界面部分において、上述の照明光の大部分が全反射しながら上端部まで進行する。この場合、回転軸５の外周面における外界との界面部分での全反射現象を効率的に発生させるようにしている。
【００２２】
なお、回転軸５の外周面に対して入射角度が固有の臨界角を常時上回るような方向で入射させるようにするため、下端面は回転軸５の中心部（軸線Ｌ；図３参照）から周縁部に向けて、例えば断面円弧状に形成してもよい。また、この回転軸５は、回転軸５内を透過してきた照明光が上端面５１からそのまま上方へ通り抜けるようにするため、上端面５１が水平（Ｘ−Ｙ）方向に平行でフラットな形状を呈する。
【００２３】
指針軸６は、光透過性の良好な材料で形成されているものであって、指針７の基部の底面側から下方へ一体に延設されているとともに、下端面には円柱状に開口した穴６１を有しており、この穴６１に回転軸５の先端部が嵌合される。このように、指針軸６は、モータの回転駆動力で回転する回転軸５と一体に組付けられているが、文字板９に対して指針軸６を回転自在に挿通させるため、文字板９の孔９Ａ（図３参照）を貫通して設置されている。
【００２４】
なお、この指針軸６の下端に開口した穴６１の底に相当する天井面６１Ａは、回転軸５の上端面５１と同様、指針軸６を透過してきた照明光が外側へ漏れ出るのをできるだけ回避するため、水平（Ｘ−Ｙ）方向に平行でフラットな形状を呈している。
【００２５】
さらに、この指針軸６には、図３に示すように、指針軸６の穴６１の直上の屋根面である上端面が、光源３に向かって窪んだ凹部からなる側方分光部１０を備えている。この側方分光部１０は、回転軸５の内部を案内されてきた光源３からの照明光のうちの一部を文字板９方向へ分光させるものである。本実施形態の場合には、上端面が略円錐形に窪んだ形状を有する。
【００２６】
この側方分光部１０は、回転軸５を案内されてきた光源３からの照明光のうちの一部に対して、指針軸６の上端面にて反射させることで光路を文字板９のある方向へ偏向させ、文字板９を発光照明させるものである。そこで、この側方分光部１０では、屈折率の異なる媒質（ここでは空気）との界面で反射する現象（フレネル反射）や全反射現象などを利用して、その反射光を文字板９の方向へ分光させる。また、これ以外の残りの照明光、例えば指針軸６の上端面において屈折し指針軸６を抜け出した照明光については、指針軸６へ再入射させ、そのまま内部を進行させて指針７を照明させる。
【００２７】
指針７は、指針軸６を介して文字板９の表面に沿って回動することで、文字板９に設けてある数字或いは目盛を指示するものであり、上述したように、光透過性の良好な材料で指針軸６と一体に形成されている。この指針７には、側方分光部１０である指針軸６の上端面を取り囲む状態で起立した壁面が外周面を構成する上穴（穴部）７１を基部側に形成している。また、指針７には、上穴７１を臨む外周面の上部に、指針軸６の側方分光部１０である指針軸６の上端面で反射することなく内部を伝搬してきた照明光を、指針７の先端部へ向けてできるだけ多く効率的に送り出すために、偏向面７１Ａが形成される。
【００２８】
図３から図５に示すように、指針７の基部に取り付けられたキャップＣａは、遮光性を有する合成樹脂から形成されている。このキャップＣａは、平面視円形状に形成された円形部８１を有しており、この円形部８１の内側に、指針７の基部を収容する収容凹部８２が形成されている。円形部８１には、その周壁部８３の一部に、切欠き部８４が形成されており、この切欠き部８４に、指針７が配置されている。
【００２９】
キャップＣａには、円形部８１の上面部８１ａに、上方へ突出する突起部８５を有している。この突起部８５は、指針７の延長線上に形成されて周壁部８３における指針７と反対側へ突出されている。
【００３０】
このキャップＣａは、指針軸６へ向かって突出するボス部８６を有している。このボス部８６は、その中心に連通孔８７を有する円筒状に形成されており、指針軸６に形成された上穴７１へ挿し込まれている。
【００３１】
そして、このボス部８６が指針軸６の上穴７１へ挿入されることで、指針７に入射した光がボス部８６の周囲に均等に拡散される。
【００３２】
このキャップＣａには、導光部材９１が設けられている。この導光部材９１は、導光性に優れた適宜の透光性（若しくは導光性）樹脂材料から形成されたもので、棒状部９２と、この棒状部９２の上端に形成された円板状部９３とを有している。この円板状部９３は、上方へ僅かに膨出した形状とされている。
【００３３】
この導光部材９１は、キャップＣａのボス部８６の連通孔８７へ棒状部９２を挿し込むことでキャップＣａに装着されており、キャップＣａの突起部８５の上面部８５ａに円板状部９３が配置されている。
【００３４】
導光部材９１の棒状部９２の下端面は、指針軸６及び側方分光部１０を透過してきた照明光が外側へ漏れ出るのをできるだけ回避するため、水平（Ｘ−Ｙ）方向に平行でフラットな形状を呈している。
【００３５】
そして、導光部材９１は、棒状部９２を通過した照明光が、上方へ僅かに膨出した円板状部９３から外部へ拡散して照射される。
【００３６】
モータケース８には、内部に、図示外の、モータと、中間ギアと、出力ギアと、回転軸５など、を備えている。モータは、指針７を回動させるためのものであり、中間ギア及び出力ギアを介して減速させて回転軸５を回動させることにより、文字板９の表面に沿って指針７を確実に回動させ、必要な各種情報を正確に指し示すようになっている。
【００３７】
文字板９は、これ自体が導光機能を有する適宜の材料で形成してあるが、特に導光性の良好な材料で形成する等の構成とすることが好ましい。これにより、文字板９の全体を効果的に発光照明させることが可能になる。
【００３８】
次に、本実施形態に係るメータ装置１Ａの作用について、図面を参照しながら説明する。
【００３９】
なお、ここでのメータ装置１Ａの説明については、各計器類のうちスピードメータを例に挙げてその作用を説明するが、特にこれに限定されるものではなく、他のアナログタイプのメータ装置などの場合でも同様である。さらに、図１及び図３における照明光については、説明をできるだけ分かり易くするため、光路については屈折作用を考慮した方向に正確に記載せずに、単純に直進させてあるものもある。また、ここでは、回転軸５と指針軸６の屈折率を便宜上同一値として扱うものであるが、勿論、異なっていてもよい。
【００４０】
メータ装置１Ａを搭載した車両が動き始めると、メータ装置１Ａのモータケース８の内部に設けたモータが、図示しないセンサによって検出された現在速度に対応するセンサ信号に基づいて回転駆動を開始し、指針７を所定角度だけ回動し、文字板９に形成された特定の目盛又は数字を指示する。
【００４１】
即ち、図３に示すように、図示外のモータによる駆動力で、回転軸５が速度に合わせた所定の角速度で回転する。これによって、回転軸５の上端部に組付けた指針軸６を介してこれと一体の指針７が所定角度だけ回動され、指針７の先で文字板９上の特定の目盛又は数字を指し示す。これによって、現在速度を運転者などにアナログ表示させて知らせることができる。
【００４２】
このような速度表示を行うメータ装置１Ａにあっては、同時に、光源３から出射した照明光が回転軸５内部の外周面において、外界との界面で全反射を起こしながら上方へ進行する伝搬現象を繰り返す。そして、この照明光の一部が、回転軸５の上端部、空気層を透過して指針軸６の中央上端部の略円錐形状に窪んだ側方分光部１０に到達する。この側方分光部１０である上端面に指針軸６の内部から入射した照明光は、この多くが臨界条件を満たしている。
【００４３】
従って、この照明光の多くが、指針軸６の上端面である側方分光部１０で全反射した後、上向きから側方である横向きに光路が偏向され、指針軸６の外周面から外部の文字板９に向かう。つまり文字板光Ｐ１となる。そして、この文字板光Ｐ１は、進行する光路上のケース４の内側表面に設けた反射部４Ａで文字板９へ向けて再度反射することで、文字板９を背面側から発光照明することができる。
【００４４】
一方、回転軸５から指針軸６内部へ入射してきた照明光は、指針軸６の外周面６２と指針７の上穴７１との間で全反射しながら、指針７の内部へ進行する。そして、偏向面７１Ａで進行光路が指針７の先端方向へ偏向されて指針７を発光照明する指針光Ｑ１となる。
【００４５】
また、回転軸５から指針軸６内部へ入射してきた照明光の一部は、キャップＣａに設けられた導光部材９１の棒状部９２の下端面から導光部材９１内に入光し、上方へ僅かに膨出した円板状部９３から外部へ拡散して照射される装飾光Ｒ１となる。
【００４６】
なお、回転軸５内部での照明光の伝搬作用、指針軸６の上端面での分光作用及び導光部材９１での導光作用は、勿論、回転軸５が回動動作中であっても、静止状態の場合と何らの変わりなく全く同様に行われる。従って、この回転軸５が回動動作中でも、指針７の発光照明だけでなく、文字板９の発光照明及び指針７の回転中心における発光照明も、同時に同じ光源３からの多くの照明光で行えるようになるわけである。
【００４７】
このように、本実施形態によれば、導光部材９１によって、指針７に入射した光源３からの照明光の一部を、回転軸５の上端に近い距離で受光してキャップＣａの外部へ導き、キャップＣａの外部で高輝度な装飾光Ｒ１として出射させることができる。これにより、夜間などの周囲からの光が届かない状況下において、斬新で見栄え良く照明することができる。
【００４８】
次に、第２〜第４実施形態に係るメータ装置の照明構造を説明する。
なお、第２〜第４実施形態において、上記の第１実施形態と同一部分は、同一符号を付して説明を省略する。
【００４９】
（第２実施形態）
図６から図８に示すように、第２実施形態に係るメータ装置１Ｂの照明構造では、突起部８５がなく、円形部８１だけを有するキャップＣｂを備えている。
【００５０】
そして、このメータ装置１Ｂでは、導光部材９１の円板状部９３が、キャップＣｂの円形部８１における上面部８１ａから突出するように配置されており、回転軸５から指針軸６内部へ入射してきた照明光の一部が導光部材９１の棒状部９２の下端面から導光部材９１内に入光し、円板状部９３から外部へ拡散して照射される装飾光Ｒ１となる。
【００５１】
このように、この第２実施形態に係るメータ装置１Ｂの照明構造の場合も、導光部材９１によって、指針７に入射した光源３からの照明光の一部を、回転軸５の上端に近い距離で受光してキャップＣｂの外部へ導き、キャップＣｂの外部で高輝度な装飾光Ｒ１として出射させることができる。これにより、夜間などの周囲からの光が届かない状況下において、斬新で見栄え良く照明することができる。
【００５２】
（第３実施形態）
図９から図１１に示すように、第３実施形態に係るメータ装置１Ｃの照明構造では、キャップＣｃの突起部８５の上面部８５ａに円弧状に窪んだ窪み部１００が形成されている。これにより、導光部材９１における指針７の延在方向の前後には、指針７の回転中心に向かって下方へ傾斜し、断面視で下方へ湾曲する湾曲面が形成され、この湾曲面が反射面１０１とされている。この反射面１０１は、断面視で下方へ直線状に傾斜したテーパ面であっても良い。
【００５３】
また、導光部材９１は、棒状部９２の上端近傍が露出され、この露出された部分が僅かに大径に形成されている。さらに、この導光部材９１は、円板状部９３がなく、棒状部９２の上端面に、例えば、遮光性を有する合成樹脂等から形成された円板状の遮光板（遮光部）９４が取り付けられている。この遮光板９４は、棒状部９２の上端における外径よりも大きな外径を有している。
【００５４】
また、導光部材９１には、その上端面に円錐形状の凹部を形成することで、拡散反射面９１ａが設けられており、棒状部９２を通過した光が拡散反射面９１ａで反射されて周囲に拡散される。
【００５５】
そして、このメータ装置１Ｃでは、回転軸５から指針軸６内部へ入射してきた照明光の一部が導光部材９１の棒状部９２の下端面から導光部材９１内に入光する。この導光部材９１内に入光した光は、拡散反射面９１ａで反射されて周囲に拡散され、棒状部９２の露出された上端部分における周面から外部へ拡散して照射される装飾光Ｒ２となり、この装飾光Ｒ２は、キャップＣｃの突起部８５に形成された反射面１０１で反射されることとなる。なお、導光部材９１の棒状部９２の上端面には、遮光板９４が取り付けられているので、導光部材９１の棒状部９２の上端面から外部へ光が直接出射することはない。
【００５６】
このように、この第３実施形態に係るメータ装置１Ｃの照明構造によれば、導光部材９１によって、指針７に入射した光源３からの照明光の一部を、拡散反射面９１ａで周囲へ拡散させてキャップＣｃの外部へ導き、キャップＣｃの外部で装飾光Ｒ２として出射させ、窪み部１００の表面の反射面１０１で反射させて間接的に照明することができる。また、導光部材９１における光源３と反対側の端面に遮光板９４を設け、導光部材９１からの直接光を遮ることができる。これにより、夜間などの周囲からの光が届かない状況下において、間接的な照明によって、より斬新で見栄え良く照明することができる。
【００５７】
（第４実施形態）
図１２から図１４に示すように、第４実施形態に係るメータ装置１Ｄの照明構造では、突起部８５がなく、円形部８１だけを有するキャップＣｄを備えている。また、このキャップＣｄの円形部８１の上面部８１ａには、すり鉢状に窪んだ窪み部１０２が形成されている。これにより、導光部材９１の指針７の周囲には、指針７の回転中心に向かって下方へ傾斜し、断面視で下方へ湾曲する湾曲面が形成され、この湾曲面が反射面１０３とされている。この反射面１０３は、断面視で下方へ直線状に傾斜したテーパ面であっても良い。
【００５８】
また、導光部材９１には、その上端面に円錐形状の凹部を形成することで、拡散反射面９１ａが設けられており、棒状部９２を通過した光が拡散反射面９１ａで反射されて周囲に拡散される。
【００５９】
また、導光部材９１は、棒状部９２の上端が露出され、この露出された部分が僅かに大径に形成されている。さらに、この導光部材９１は、円板状部９３がなく、棒状部９２の上端面に、例えば、遮光性を有する合成樹脂等から形成された円板状の遮光板９４が取り付けられている。この遮光板９４は、棒状部９２の上端における外径よりも大きな外径を有している。
【００６０】
そして、このメータ装置１Ｄでは、回転軸５から指針軸６内部へ入射してきた照明光の一部が導光部材９１の棒状部９２の下端面から導光部材９１内に入光する。この導光部材９１内に入光した光は、拡散反射面９１ａで反射されて周囲に拡散され、棒状部９２の露出された上端部分における周面から外部へ拡散して照射される装飾光Ｒ２となり、この装飾光Ｒ２は、キャップＣｄの円形部８１に形成された反射面１０３で反射されることとなる。なお、導光部材９１の棒状部９２の上端面には、遮光板９４が取り付けられているので、導光部材９１の棒状部９２の上端面から外部へ光が直接出射することはない。
【００６１】
このように、この第４実施形態に係るメータ装置１Ｄの照明構造の場合も、導光部材９１によって、指針７に入射した光源３からの照明光の一部を、拡散反射面９１ａで周囲へ拡散させてキャップＣｄの外部へ導き、キャップＣｄの外部で装飾光Ｒ２として出射させ、すり鉢状の窪み部１０２の表面の反射面１０３で反射させて間接的に照明することができる。また、導光部材９１における光源３と反対側の端面に遮光板９４を設け、導光部材９１からの直接光を遮ることができる。これにより、夜間などの周囲からの光が届かない状況下において、間接的な照明によって、より斬新で見栄え良く照明することができる。
【００６２】
なお、本発明は上述した実施形態に何ら限定されるものではなく、その要旨を逸脱しない範囲において種々の形態で実施し得るものである。即ち、燃料計部、タコメータ部、スピードメータ部、及び水温計等の各種計器類に適用可能である。
【符号の説明】
【００６３】
１Ａ，１Ｂ，１Ｃ，１Ｄ  メータ装置
３  光源
５  回転軸
６  指針軸
７  指針
９  文字板
７１  上穴（穴部）
８６  ボス部
９１  導光部材
９１ａ  拡散反射面
９４  遮光板（遮光部）
１００，１０２  窪み部
１０１，１０３  反射面
Ｃａ，Ｃｂ，Ｃｃ，Ｃｄ  キャップ
Ｒ１，Ｒ２  装飾光
【図１】
2014035298.tif 000003
【図２】
2014035298.tif 000004
【図３】
2014035298.tif 000005
【図４】
2014035298.tif 000006
【図５】
2014035298.tif 000007
【図６】
2014035298.tif 000008
【図７】
2014035298.tif 000009
【図８】
2014035298.tif 000010
【図９】
2014035298.tif 000011
【図１０】
2014035298.tif 000012
【図１１】
2014035298.tif 000013
【図１２】
2014035298.tif 000014
【図１３】
2014035298.tif 000015
【図１４】
2014035298.tif 000016
【図１５】
2014035298.tif 000017